(57)【要約】【課題】分周器と信号周波数分配器と復調器とを有する周波数偏移キー復号装置を提供する。【解決手段】信号周波数分配器（１００）は、周波数合成器（１５０）と、（ｎ−１）個の第１の混合器と、ｎ個の第２の混合器と、ｎ個のフィルタ（１２８）とを有し、ｎは２以上の整数である。本発明は複数の周辺装置に対応した多機能ワイヤレス受信器に適用することができる。複数のローカル搬送信号が（ｎ−１）個の混合器のみで生成されるため、このローカル搬送信号の周波数をランダムに変えることができる。混合器は集積回路チップの非常に小さい面積しか占めないため、製造コストが抑えられる。さらに、混合器はデジタル回路を用いて容易に実現されるため、周波数偏移キー復号装置やワイヤレス受信器全体でさえも１個のチップ内に実現することができる。【選択図】　図１
2004088714.tif 000002
【特許請求の範囲】
【請求項１】
無線周波数信号からｎ個の中間周波数信号を導出するための信号周波数分配器であって、当該信号周波数分配器は、
システム周波数信号Ｆｓに従ってローカル搬送信号Ｆｂ１を合成する周波数合成器と、
ローカル搬送信号Ｆｂ１とｎ−１個の差分周波数信号Ｆｄ２〜Ｆｄｎの周波数を混合して、ｎ−１個のローカル搬送信号Ｆｂ２〜Ｆｂｎを得る、前記周波数合成器に接続されたｎ−１個の第１の混合器Ｍ１２〜Ｍ１ｎと、
無線周波数信号とローカル搬送信号Ｆｂ１，Ｆｂ２〜Ｆｂｎとを混合してｎ個の中間周波数混合信号Ｆｍ１〜Ｆｍｎを得る、前記第１の混合器と周波数合成器とに接続されたｎ個の第２の混合器Ｍ２１，Ｍ２２〜Ｍ２ｎと、
ｎ個の中間周波数混合信号Ｆｍ１〜Ｆｍｎをフィルタリングしてｎ個の中間周波数信号を得る、前記第２の混合器に接続されたｎ個のフィルタとを含み、
「ｎ」は２以上の正の整数であることを特徴とする信号周波数分配器。
【請求項２】
無線周波数信号から第１の中間周波数信号と第２の中間周波数信号とを導出するために用いられる信号周波数分配器であって、当該信号周波数分配器は、
第１のローカル搬送信号と差分周波数信号の周波数を混合して第２のローカル搬送信号を得る第１の混合器と、
無線周波数信号の周波数を前記第１および第２のローカル搬送信号の周波数と混合して第１および第２の中間周波数混合信号を得る、前記第１の混合器に接続された複数の第２の混合器と、
前記第１および第２の中間周波数混合信号をフィルタリングして第１および第２の中間周波数信号を得る、前記第２の混合器に接続された複数のフィルタとを含むことを特徴とする信号周波数分配器。
【請求項３】
周波数偏移キー復号装置であって、
システム周波数信号Ｆｓの周波数を複数の差分周波数信号Ｆｄ２〜Ｆｄｎに分割する分周器と、
システム周波数信号Ｆｓと差分周波数信号Ｆｄ２〜Ｆｄｎとに従ってｎ個のローカル搬送信号Ｆｂ１〜Ｆｂｎを生成する、前記分周器に接続された信号周波数分配器であって、無線周波数信号およびｎ個のローカル搬送信号Ｆｂ１〜Ｆｂｎのフィルタを受け、ｎ個の中間周波数信号を得る信号周波数分配器と、
前記ｎ個中間周波数信号を復号してｎ個のデータを得る、前記信号周波数分配器に接続された復調器とを含み、
「ｎ」は２以上の正の整数であることを特徴とする周波数偏移キー復号装置。
【請求項４】
前記信号周波数分配器は、
システム周波数信号Ｆｓに従ってローカル搬送信号Ｆｂ１を合成する周波数合成器と、
ローカル搬送信号Ｆｂ１とｎ−１個の差分周波数信号Ｆｄ２〜Ｆｄｎの周波数を混合し、ｎ−１個のローカル搬送信号Ｆｂ２〜Ｆｂｎを得る、前記周波数合成器に接続されたｎ−１個の第１の混合器Ｍ１２〜Ｍ１ｎと、
無線周波数信号とローカル搬送信号Ｆｂ１〜Ｆｂｎの周波数を混合してｎ個の中間周波数混合信号Ｆｍ１〜Ｆｍｎを得る、前記第１の混合器および前記周波数合成器に接続されたｎ個の第２の混合器Ｍ２１，Ｍ２２〜Ｍ２ｎと、
前記ｎ個の中間周波数混合信号Ｆｍ１〜Ｆｍｎをフィルタリングしてｎ個の中間周波数信号を得る、前記第２の混合器に接続されたｎ個のフィルタとを含み、
「ｎ」は２以上の正の整数であることを特徴とする請求項３に記載の周波数偏移キー復号装置。
【発明の詳細な説明】
【０００１】
【発明の属する技術分野】
本発明は、一般には周波数偏移キーイング（ＦＳＫ）を用いたワイヤレス通信受信回路に関し、より詳細には、周波数混合法による周波数偏移キーイングにおいて用いられる複数のローカル搬送信号を得る信号周波数分配器および該信号周波数分配器を用いる周波数偏移キー復号装置に関する。
【０００２】
【従来の技術】
従来のコンピュータシステムは、ディスプレイと、コンピュータホストと、数台の電気的に接続された周辺装置とによって構成されている。使用者によって操作される周辺装置は、コンピュータデスクの範囲に限定される。コンピュータ産業の急速な発展に加えて、インターネットが広く利用されるようになり、多くの人々の日常生活にコンピュータが関係するようになってきた。さらに、外装の軽量化、薄型化、短尺化、小型化に向けての競争や要求によって、産業界においては操作速度と利便性の向上が絶えず求められてきた。周辺装置関連産業では、ワイヤレスマウスやワイヤレスキーボードなどのワイヤレス入力装置が開発されるとともに、ＵＳＢ接続の周辺装置までもがワイヤレス周辺装置に変わりつつある。このような装置は、有線接続の問題を軽減することにより、使用者に対して操作利便性を提供する。
【０００３】
【発明が解決しようとする課題】
周辺装置のすべてがワイヤレスマウスやワイヤレスキーボードのようなワイヤレス機器に変われば、そのそれぞれの機器に対して個別のワイヤレス発信器と個別の受信器とが必要になる。その追加コストは莫大なものである。さらに、信号の発信に対するインターフェースが不可欠になる。また、家電製品をコンピュータに統合するにあたって、ワイヤレス周辺装置の数が多すぎると問題が生じる場合もある。したがって、周波数偏移キー通信技術を用いて全てのワイヤレストランシーバを１つに統合することで、良好な解決策を与えることができる。
【０００４】
周波数偏移キー通信技術では、異なるデータを発するために異なる周波数の無線周波数信号を搬送波として用いることが、当該技術分野において知られている。このようにして、異なる周辺装置に対するデータをワイヤレス通信によって同時に受信器に送信することができる。一方、受信器側では、データ信号の分離と低減のために複数の対応するローカル搬送信号を生成しなければならない。図２は、複数の周辺装置に対応する従来の多機能ワイヤレス受信器を示している。図２を参照すると、受信器は、水晶発振器１３４と振動起動装置（図示せず）とを有し、マイクロプロセッサ１３６の動作に必要とされるシステム周波数信号Ｆｓを与える。システム周波数信号Ｆｓは、複数の周波数合成器２５１，２５２，・・・，２５ｎに同時に供給される。システム周波数信号Ｆｓに従って、周波数合成器２５１，２５２，・・・，２５ｎは、複数のローカル搬送信号Ｆｂ１，Ｆｂ２，・・・，Ｆｂｎを生成する。ワイヤレス受信器が作動している場合、無線周波数信号を得るために、低雑音増幅器１２４がアンテナ１２２によって受信された信号を増幅する。混合器Ｍ２１，Ｍ２２〜Ｍ２ｎは、無線周波数信号をローカル搬送信号Ｆｂ１，Ｆｂ２〜Ｆｂｎと混合する。中間周波数フィルタ１２８によるフィルタリングを経て、異なる周辺装置から送信されたデータに対応する複数の中間周波数信号が得られる。図２に示されるように、複数の周辺装置に対応する多機能ワイヤレス受信器におけるローカル搬送信号Ｆｂ１，Ｆｂ２〜Ｆｂｎの周波数は、ランダムに変えることができる。しかしながら、ローカル搬送信号Ｆｂ１，Ｆｂ２〜Ｆｂｎを生成するためにｎ個の周波数合成器と、１個の水晶発振器とが必要であり、コストが非常に高くなる。
【０００５】
図３は、複数の周辺装置に対応する別の多機能ワイヤレス受信器を示している。図３において、受信器は、マイクロプロセッサ１３６の動作に必要とされるシステム周波数信号Ｆｓを与えるのに必要な水晶発振器１３４および振動起動装置（図示せず）に加えて、データ信号分離および周波数軽減のために用いられるローカル搬送信号Ｆｂ１，Ｆｂ２〜Ｆｂｎを生成する複数の異なる発振子３５１，３５２，．．．，３５ｎおよび振動起動装置（図示せず）をさらに用いる。従来の受信器においては、（ｎ＋１）個の水晶発振器および振動起動装置が用いられている。対応する周辺装置の数が増えるにつれ、より多くの水晶発振器と振動起動装置が必要になる。その結果、コストも上昇する。固定無線周波数ベースバンド信号による制限を受けるため、周波数を変えることはできない。
【０００６】
上記より、複数の周辺装置に対応した多機能ワイヤレス受信器は以下のような欠点を有している。
【０００７】
１．信号周波数分配器が、複数のローカル搬送信号を生成するために複数の周波数合成器を使用する場合、ローカル搬送信号の周波数はランダムに変えることができるが、システムのコストが上昇する。
【０００８】
２．信号周波数分配器が、複数のローカル搬送信号を生成するために複数の水晶発振器と振動始動装置を使用する場合、コストが高くなり、ローカル搬送信号の周波数を変えることができず、システムの柔軟性が乏しい。
【０００９】
３．上記２つの手法において、コストおよび回路設計における制約が、信号周波数分離装置と復調器とを単一のチップに統合して周波数偏移キー復号装置を作成することを困難にしている。
【００１０】
本発明は信号周波数分配器およびこれを用いた周波数偏移キー復号装置を提供する。ローカル搬送信号の周波数はランダムに変えることができる。製造コストは低い。信号周波数分配器および周波数偏移キー復号装置は、デジタル回路を用いて単一のチップ内で実現することができる。
【００１１】
【課題を解決するための手段】
本周波数偏移キー復号装置は、分周器と、信号周波数分配器と、復調器とを含む。分周器は、システム周波数信号Ｆｓをｎ−１個の差分周波数信号Ｆｄ２〜Ｆｄｎに分割する。分周器に接続された信号周波数分配器は、システム周波数信号Ｆｓとｎ−１個の差分周波数信号Ｆｄ２〜Ｆｄｎとに従って、ｎ個のローカル搬送信号Ｆｂ１〜Ｆｂｎを生成する。信号周波数分配器は無線周波数信号を受信し、無線周波数信号をｎ個のローカル搬送信号Ｆｂ１〜Ｆｂｎと混合した後にフィルタリングを行って、ｎ個の中間周波数信号を得る。信号周波数分配器に接続された復調器を介して、前記ｎ個の無線中間周波数信号を復調し、ｎ個のデータを得る。なお「ｎ」は２以上の整数である。
【００１２】
本発明はさらに、無線周波数信号からｎ個の中間周波数信号を得るための信号周波数分配器を提供する。信号周波数分配器は、周波数合成器と、ｎ−１個の第１の混合器と、ｎ個の第２の混合器と、ｎ個のフィルタとを含む。「ｎ」は２以上の整数である。周波数合成器はシステム周波数信号Ｆｓに従ってローカル搬送信号Ｆｂ１を合成する。第１の混合器は、Ｍ１２〜Ｍ１ｎで表されている。ｎ−１個の第１の混合器は全て周波数合成器に接続され、無線周波数信号Ｆｂ１をｎ−１個の差分周波数Ｆｄ２〜Ｆｄｎと混合し、ローカル搬送信号Ｆｂ１とは異なるｎ−１個のローカル搬送信号Ｆｂ２〜Ｆｂｎを得る。Ｍ２１，Ｍ２２〜Ｍ２ｎで表される第２の混合器は周波数合成器および対応するｎ−１個の第１の混合器に接続され、ｎ個の中間周波数混合周波数Ｆｍ１〜Ｆｍｎを得るべく、無線周波数信号と上記のローカル搬送信号Ｆｂ１〜Ｆｂｎを混合する。ｎ個のフィルタは各ｎ個の混合器に接続され、中間周波数混合周波数Ｆｍ１〜Ｆｍｎをフィルタリングして異なるｎ個の中間周波数信号を得る。
【００１３】
本発明の一実施の形態において、周波数偏移キー復号装置は、アンテナから受信した信号を増幅して無線周波数信号を得る低雑音増幅器を含んでいる。さらに、無線周波数信号Ｆｂ１〜Ｆｂｎは、２６．９９５ＭＨｚ、２７．０４５ＭＨｚおよび２７．０９５ＭＨｚ、２７．１４５ＭＨｚ、２７．１９５ＭＨｚ、および／または２７．２５５ＭＨｚの周波数を有する信号を含んでおり、中間周波数信号の搬送周波数は４５５ＫＨｚである。
【００１４】
要約すると、本発明は、無線周波数信号から第１の中間周波数信号および第２の中間周波数信号を得るための信号周波数分配器を含み、さらに第１の混合器と、複数の第２の混合器と、複数のフィルタとを含んでいる。第１の混合器は、第１のローカル搬送信号と差分周波数信号の周波数を混合して、第２のローカル搬送信号を得るのに用いられる。第１の混合器に接続された第２の混合器は、第１の無線周波数信号の周波数を第１のローカル搬送信号の周波数および第２のローカル搬送信号の周波数と混合して、それぞれ第１および第２の中間周波数混合信号を得るのに用いられる。次に第２の混合器に接続されたフィルタが第１および第２の中間周波数混合信号をフィルタリングして第１および第２の中間周波数信号を得る。これらのフィルタは、信号対雑音比を改善するために、第１および第２の中間周波数信号以外の雑音または干渉をフィルタリングする機能を果たす。
【００１５】
本発明において、データ信号の分離および周波数低減のための複数のローカル搬送信号Ｆｂ１〜Ｆｂｎを生成するのに用いられているのは、ｎ−１個のＭ２１〜Ｍ２ｎのみである。これらの混合器はデジタル回路によって簡単に実現することができるので、システム全体、特に周波数偏移キー復号装置を単一のチップ内に形成することができる。
【００１６】
本発明の上記および他の特徴は、図面を参照することにより、さらに明確になるであろう。
【００１７】
【発明の実施の形態】
図１は、複数の周辺装置に同時対応することができる本発明の実施の形態による多機能ワイヤレス受信器を示す図である。作業効率と利便性を高めるために、周辺装置関連産業は、ワイヤレスマウスやワイヤレスキーボードなどのワイヤレス入力装置、ならびに本来的にＵＳＢインターフェースを用いる周辺装置を提供している。これらのワイヤレス周辺装置は、異なる周波数を持つ無線周波数信号を搬送波として用いて、無線周波数信号内の異なる機能を有するデータを、複数の周辺装置に同時に対応しうる多機能ワイヤレス受信器に送信する。
【００１８】
多機能ワイヤレス受信器１２０は、アンテナ１２２と、マイクロプロセッサ１３６と、インターフェース１３８と、水晶発振器１３４と、振動始動装置（図示せず）と、本発明によって提供される周波数偏移キー復号装置１１０とを含む。周波数偏移キー復号装置１１０は、分周器１４０と、低雑音増幅器１２４と、信号周波数分配器１００と、復調器１３２とを含んでいる。本発明により提供される信号周波数分配器１００は、周波数合成器１５０と、ｎ−１個の第１の混合器Ｍ１２〜Ｍ１ｎと、ｎ個の第２の混合器Ｍ２１，Ｍ２２〜Ｍ２ｎと、ｎ個のフィルタ１２８とをさらに含み、「ｎ」は２より大きい正の整数である。
【００１９】
本発明の一実施の形態において、ワイヤレス受信器１２０は、マイクロプロセッサ１３６の動作に必要とされるシステム周波数信号Ｆｓを与えるのに、１つの水晶発振器１３４と１つの振動起動装置（図示せず）しか含んでいない。ワイヤレス受信器が作動されている場合、アンテナ１２２は種々の周辺装置から送信された小無線周波数信号を受信する。小無線周波数信号が周波数偏移キー復号装置１１０により受信されると、種々の周辺装置に対応する複数の信号を得るために、周波数偏移キー通信技術に従って信号分離および周波数低減が実施される。次に、周波数偏移キー復号装置１１０が種々の周辺装置から送信されてきた複数のデータをマイクロプロセッサ１３６に出力することができるように、信号が復号化される。マイクロプロセッサ１３６とコンピュータシステムの間のプロトコールに従って、種々の周辺装置に対するデータがインターフェース１３８経由でＰＳ２コネクタ、マウスコネクタ、ＰＳ２キーボードコネクタ、ＵＳＢコネクタなどの適切なポートを介して、コンピュータシステムに伝送される。
【００２０】
システム周波数信号Ｆｓは、分周器１４０および周波数合成器１５０の両者に同時に与えることもできる。したがって、周波数合成器１５０は、システム周波数信号Ｆｓに従ってワイヤレス受信器１２０においてベーシックローカル搬送信号Ｆｂ１を生成することができる。分周器１４０はまた、システム周波数信号Ｆｓの周波数を分割し、ｎ−１個の差分周波数信号Ｆｄ２〜Ｆｄｎを得ることができる。差分周波数信号Ｆｄ２〜Ｆｄｎの実際の周波数は、各周辺装置に対するそれぞれのローカル搬送信号の周波数と、ローカル搬送信号Ｆｂ１の周波数との間の減算によって得られる。たとえば、ｎ−１個の差分周波数信号は、５０ＫＨｚ毎に生成される複数の差分周波数信号によって得ることもできる。低雑音増幅器１２４は、アンテナ１２２によって受信された小無線周波数信号を増幅して無線周波数信号を得る。システム周波数信号Ｆｓおよびｎ−１個の差分周波数信号Ｆｄ２〜Ｆｄｎに従って、信号周波数分配器１００によってｎ個のローカル搬送信号Ｆｂ１〜Ｆｂｎが生成される。信号周波数低減装置１００により受信され、ｎ個のローカル搬送信号Ｆｂ１〜Ｆｂｎと混合された無線周波数信号は、中間周波数信号を得るためにさらにフィルタリングされる。ｎ個の中間周波数信号は、種々の周辺装置に対応したｎ個のデータを得るために復調器１３２によって復調される。
【００２１】
上記の低雑音増幅器１２４は、周波数偏移キー復号装置１１０に含まれる必要のないことは当業者によって理解されよう。その代わりに、低雑音増幅器１２４はワイヤレス受信器１２０内に独立して設置することもできる。あるいは、低雑音増幅器１２４は、信号強度や受信環境に応じてワイヤレス受信器１２０から除外することも可能である。
【００２２】
信号周波数低減分配器１００は、種々の周辺装置の無線周波数信号を当該周辺装置に応じたｎ個の中間周波数信号に分離する。ローカル搬送信号Ｆｂ１は、システム周波数信号Ｆｓに従って周波数合成器１５０によって合成される。当業者によって知られるように、周波数合成器１５０は必ずしも信号周波数分配器１００に含まれていなくてもよく、周波数偏移キー復号装置１１０内に独立して設置することも可能である。
【００２３】
ｎ−１個の第１の混合器Ｍ１２〜Ｍ１ｎは、ローカル搬送信号Ｆｂ１をｎ−１個の差分周波数信号Ｆｄ２〜Ｆｄｎと混合するために、すべて周波数合成器１５０に接続されている。通信理論における周波数混合理論に従って、周波数混合信号は、混合前の２つの信号間の周波数差を有する信号を含んでいる。差分周波数信号Ｆ２ｄ〜Ｆ２ｎは、異なる周辺装置に対する異なる無線周波数信号の異なる周波数と、ローカル搬送信号Ｆｂ１との間の減算によって得られるので、周波数混合信号は、異なる周辺装置によって用いられる搬送周波数のｎ−１個のローカル搬送信号Ｆｂ２〜Ｆｂｎを含んでいる。ローカル搬送信号Ｆｂ２〜Ｆｂｎは、ローカル搬送信号Ｆｂ１とは異なるものである。
【００２４】
ｎ個の第２の混合器Ｍ２１，Ｍ２２〜Ｍ２ｎは、対応する周波数合成器およびｎ−１個の第１の混合器に接続されており、ｎ個の第２の混合器Ｍ２１，Ｍ２２〜Ｍ２ｎは、無線周波数信号と上記ローカル搬送信号Ｆｂ１〜Ｆｂｎ・の周波数を混合する。同様にして、種々の周辺装置のデータを含むｎ個の中間周波数混合信号Ｆｍ１〜Ｆｍｎが得られる。ｎ個のフィルタ１２８はそれぞれ対応する第２の混合器Ｍ２１，Ｍ２２〜Ｍ２ｎに接続され、中間周波数混合信号Ｆｍ１〜Ｆｍｎがフィルタリングされて混合された周波数以外の周波数を持つ信号が除去される。これにより、ｎ個の中間周波数信号が得られる。
【００２５】
本発明の１つの実施形態において、ローカル搬送信号Ｆｂ１〜Ｆｂｎは、２６．９９５ＭＨｚ、２７．０４５ＭＨｚおよび２７．０９５ＭＨｚ、２７．１４５ＭＨｚ、２７．１９５ＭＨｚ、および／または２７．２５５ＭＨｚの周波数を有する信号を含んでおり、中間周波数信号の搬送周波数は４５５ＫＨｚである。
【００２６】
２つの無線周波数信号しかない場合には、信号周波数分配器は第１の中間周波数信号と第２の中間信号周波数だけを無線周波数信号から得ることは当業者の知るところである。第１の無線周波数信号を差分周波数信号と混合して第２のローカル搬送信号を導出するのに、１つの第１の混合器しか必要とされない。第１の混合器に接続された（２個の）第２の混合器は、無線周波数信号の周波数と、第１および第２のローカル搬送信号の周波数とを合成して、第１および第２の中間周波数混合信号を得る。第２の混合器に接続された（２個の）フィルタを介して、第１および第２の中間周波数混合信号がフィルタリングされ、第１および第２の中間周波数信号が得られる。これらのフィルタは、信号対雑音比を改善するのために、第１および第２の中間周波数信号以外の雑音または干渉をフィルタリングする機能を果たす。
【００２７】
本発明において、ｎ−１個の差分周波数信号Ｆｄ２〜Ｆｄｎは、分周器１４０を介してシステム周波数信号Ｆｓを分割することによって得られ、複数のローカル搬送信号Ｆｂ１〜Ｆｂｎ，を得るためにｎ−１個の混合器Ｍ２１〜Ｍ２ｎしか用いられないため、ローカル搬送信号の周波数はランダムに変えることができる。さらに、分周器１４０と上記混合器は、従来の周波数合成器または水晶発振器および振動起動装置に比べて、集積回路チップ中での占める面積が少ないため、本発明のコストは低く、デジタル回路を用いて容易に実現される。したがって、周波数偏移キー復号装置１１０、あるいはワイヤレス受信器１２０ですら、単一のチップ上に容易に実現される。
【００２８】
本発明の他の実施の形態は、ここに開示する本発明の明細書および実施の形態を考慮することにより、当業者には明らかであろう。明細書および実施の形態は例示のみを目的としており、本発明の真の範囲および精神は特許請求の範囲によって示される。
【図面の簡単な説明】
【図１】複数周辺装置に同時対応することができる本発明の一実施の形態による多機能ワイヤレス受信器を示す図である。
【図２】複数のローカル搬送信号を合成するために複数の周波数合成器が用いられている、複数の周辺装置に対応する従来の多機能ワイヤレス受信器を示す図である。
【図３】複数のローカル搬送信号を生成するために複数の異なる水晶発振器および振動起動装置が用いられている、複数の周辺装置に対応する従来の別の多機能ワイヤレス受信器を示す図である。
【符号の説明】
１００　分配器
１１０　周波数偏移キー復号装置
１２０　多機能ワイヤレス受信器
１２２　アンテナ
１２４　低雑音増幅器
１２８　フィルタ
１３２　復調器
１３４　水晶発振器
１３６　マイクロプロセッサ
１３８　インターフェース
１４０　分周器
１５０　周波数合成器
Ｍ１２〜Ｍ１ｎ　第１の混合器
Ｍ２１，Ｍ２２〜Ｍ２ｎ　第２の混合器
【図１】
2004088714.tif 000003
【図２】
2004088714.tif 000004
【図３】
2004088714.tif 000005